(57)【要約】【課題】  フィルムロール包装体の搬送時の作業工数や部品点数を低減する。【解決手段】  架台２１Ｃの横支持部材５１の支持部５１ａの側部に、支持部５１ａを載置される元巻包装体１のコア３の両端の開口を塞ぐための蓋部材５２を蝶番５３を介して取り付ける。【選択図】図１４
2007015864.tif 000002
【特許請求の範囲】
【請求項１】
中空のコアの周りに該コアの両側端部を残して長尺のフィルム部材が巻回されてなるフィルムロール及び該フィルムロールを多重に包装する複数の包装部材を有するフィルムロール包装体を搬送する際に用いられ、基台部及び該基台部に取り付けられ前記フィルムロール包装体を支持固定する支持固定部を有する両側部枠体を備えたフィルムロール包装体搬送用架台であって、前記支持固定部には、前記コアの両側端の開口を塞ぐための蓋部材が蝶番を介して取り付けられていることを特徴とするフィルムロール包装体搬送用架台。
【発明の詳細な説明】
【技術分野】
【０００１】
本発明は、フィルムロール包装体搬送用架台に関する。
【背景技術】
【０００２】
例えば液晶表示装置の液晶を支持するために用いられる長尺のＴＡＣフィルムのほか、ＰＥＴフィルム、感光フィルム等のフィルム１０２は、図１８に示すように、コア１０３の周りに巻回されてロール状の元巻き（フィルムロール）とされた後、埃や塵、湿気、光等から護るために、同図に示すように、例えばポリエチエンフィルム等からなる包装材（包装部材）１０４，１０５を複数枚巻いて包装された状態で元巻き包装体１０１として出荷される。
【０００３】
ここで、元巻き包装体１０１は、図２１に示すように、架台（フィルムロール包装体搬送用架台）１１１に支持固定して、納入先の工場等へトラック等によって運搬される。例えば工場においては、元巻き包装体１０１を架台１１１から取り出し、最外周の包装材１０５を剥がして、付着した埃や塵等を除いた後、例えば液晶表示装置の製造工程等に導入される。
【０００４】
なお、元巻き包装体１０１が取り出された架台１１１は、折り畳まれて発送元に返納される。また、元巻きからフィルム１０２が全て引き出された後はコア１０３も返納される。
【発明の開示】
【発明が解決しようとする課題】
【０００５】
しかしながら、例えば２枚の包装材１０４，１０５を巻く場合には、図２０に示すように、包装材１０４，１０５の周回方向に沿った巻始位置及び巻終位置が略同じであり、かつ巻き方向も同じであるので、塵や埃、湿気、光等が内部に侵入し易いという問題がある。また、塵や埃等の侵入を防止するために、包装材１０４，１０５の巻付けの強さを強くし過ぎると、フィルム１０２に欠陥を生じさせ兼ねない。
【０００６】
また、包装材１０４，１０５の両側部を固定する際には、図１９に示すように、輪ゴム１０６等を用いているので、工場等においてはコア１０３をコアチャックで固定して取り扱われるため、通常は輪ゴム１０６を残したまま作業することとなり、劣化した輪ゴム１０６が発塵の原因となり、故障を引き起こすことにもなるという問題がある。
【０００７】
また、中空のコア１０３内部に塵や埃等が溜まって、製品や装置に対して悪影響を及ぼし、この塵や埃等の清掃除去もフィルム１０２が巻かれた状態では困難であるという問題がある。
【０００８】
また、架台１１１と空のコア１０３とは別々に返納されていたので、コア１０３を纏めて梱包したりする手間も必要であり、両者の保管管理や別便での返送等のための無駄なコストがかかるという問題がある。
【０００９】
また、図２２に示したような複数の元巻き包装体１０１を支持固定する例では、元巻き包装体１０１を支持固定する場合には、例えば横方向（水平方向）に場所をとってしまって、例えばトラック内での収納スペースが有効に使われ難く、輸送効率が悪いという問題がある。
【００１０】
また、図２１や図２２に示した例では、元巻き包装体１０１を架台１１１から上方に取り出すようになっているが、実際にはユーザ側の条件により取出方式が一定していないため、梱包形態が多数存在して、管理等が繁雑であるという問題がある。
【００１１】
また、コア１０３の開口部から埃等が侵入しないようにシート（ストレッチフィルム）等を被せたり、開口部に蓋を被せたりする必要があるため大変繁雑であり、蓋の管理や処理に手間がかかるという問題がある。
【００１２】
また、高度の防湿性を要する場合で、元巻き包装体１０１を例えば木箱に収納して搬送する時は、包装材をアルミやアルミナ等が蒸着されたものとする必要があり、かつ塩化ビニル等で包装材の周端を固定するので、コストがかさむうえに、包装材や塩化ビニル等のごみとしての処理に留意しなければならないという問題がある。
【００１３】
そこで、本発明は、架台及び空のコアの返送時の物流コストを低減することができる架台を提供することを目的とする。
【００１４】
また、収納スペースを節約でき、輸送効率を高めることができる架台を提供することを目的とする。
【００１５】
また、多様な元巻き包装体の取出方式に対応することができ、融通性の高い架台を提供することを目的とする。
【００１６】
また、元巻き包装体の搬送時の作業工数を低減することができる架台を提供することを目的とする。
【課題を解決するための手段】
【００１７】
上記課題を解決するために、請求項１記載の発明は、中空のコアの周りに該コアの両側端部を残して長尺のフィルム部材が巻回されてなるフィルムロール及び該フィルムロールを多重に包装する複数の包装部材を有するフィルムロール包装体を搬送する際に用いられ、基台部及び該基台部に取り付けられ前記フィルムロール包装体を支持固定する支持固定部を有する両側部枠体を備えたフィルムロール包装体搬送用架台であって、前記支持固定部には、前記コアの両側端の開口を塞ぐための蓋部材が蝶番を介して取り付けられていることを特徴とする。
【発明の効果】
【００１８】
請求項１記載の本発明によれば、例えば防塵用のシートの巻付けや蓋の管理が不要であるので、フィルムロール包装体の搬送時の作業工数や部品点数を低減することができる。
【発明を実施するための最良の形態】
【００１９】
以下、本発明の実施の形態を図面を参照して詳細に説明する。
【００２０】
実施の形態１．図１は本発明の実施の形態１によるフィルムロール包装体としての元巻包装体の構成を一部破断して示す斜視図、図２は図１のＡ−Ａ線に沿う断面図、図３は図１のＢ−Ｂ線に沿う断面図、図４は図３の一部を拡大して示す拡大断面図であって、同図（ａ）は図３のＣ部を拡大して示す拡大断面図、同図（ｂ）は図３のＤ部を拡大して示す拡大断面図、図５はフィルムロールとしての元巻きの包装方法を説明するための工程図、図６は同元巻きのコアの端部に包装材を固定する方法を説明するための説明図、図７は同元巻包装体を搬送する際に用いるフィルムロール包装体搬送用架台としての架台の構成を示す斜視図、図８は同元巻包装体が同架台に支持固定された状態を示す斜視図、図９は同架台が折り畳まれコアを収納した状態を示す正面図である。
【００２１】
図１乃至図３に示すように、この実施の形態１による元巻包装体１は、長尺のフィルム２がコア３に巻回されてなる元巻き４と、元巻き４を多重に包装する内周側の包装材５及び外周側の包装材６と、元巻き４に巻かれた包装材５，６の両側部をコア３の両側端部に固定する締付固定部材７とを有している。
【００２２】
フィルム２は、例えば液晶表示装置の液晶を支持するために用いられるＴＡＣフィルムや、ＰＥＴフィルム、感光フィルム等である。
【００２３】
コア３は、例えばＦＲＰ（繊維強化プラスティック）製の管状部材からなり、中空の内部の両端から所定の長さ中央側には、図２に示すように節状の栓３ａが設けられて塞がれている。端面（開口面）からこの栓３ａまでの長さは、元巻包装体１または元巻き４を固定する際にコアチャック１１（図６参照）を装着するために必要な長さ以上に設定されている。
【００２４】
包装材５，６は、例えばポリエチレン製フィルムからなり、所定の強さで元巻き４に巻き付けられ、それぞれ端部に接着テープ８，９が貼り付けられて固定される。
【００２５】
図３及び図４に示すように、包装材５は、元巻き４の外周面に反時計周りに１周巻かれ、包装材６は、包装材５の上から反時計周りに１周巻かれる。
【００２６】
この際、包装材５の巻始位置Ｐ1 （または巻終位置Ｐ2 ）と包装材６の巻始位置Ｐ3 （または巻終位置Ｐ4 ）との間の軸の周りのずらし角度θは、略３０°とされている。
【００２７】
このずらし角度θは、防塵防湿上は１８０°付近が最も好ましいが、一方、包装材５，６の巻付け時の作業性を考慮すると、小さい方が好ましい。包装材５，６の元巻き４に対する巻付強度を、フィルム２に欠陥を生じさせない適正な範囲の値とした場合、ずらし角度θが３０°付近のときから確実な防塵防湿効果が得られることが確認された。このため、ずらし角度θは、略３０°に設定されている。
【００２８】
また、締付固定部材７としては、例えば引掛けオーバンドが用いられる（図６参照）。
【００２９】
次に元巻きの包装方法について説明する。
【００３０】
まず、図５（ａ）に示すように、予め用意された元巻き４の外周面の所定の位置（巻始位置Ｐ1 ）に包装材５の一端を固定し、同図（ｂ）に示すように、反時計周りに１周させてやや重なった位置（巻終位置Ｐ2 ）まで所定の強さで巻き付け、接着テープ８を貼り付けて固定する。
【００３１】
次に、同図（ｃ）に示すように、包装材５上の巻始位置Ｐ1 から軸の周りの時計周り方向に略３０°変位させた位置（巻始位置Ｐ3 ）に包装材６の一端を固定し、同図（ｄ）に示すように、反時計周りに１周させてやや重なった位置（巻終位置Ｐ4 ）まで所定の強さで巻き付け、接着テープ９を貼り付けて固定する。
【００３２】
この後、同図（ｅ）及び図６に示すように、包装材５，６の両側のフィルム２からはみ出た箇所を締付固定部材７で括ってコア３の両端部の外周面に締め付けて固定して、元巻包装体１を完成させる。
【００３３】
この元巻包装体１に対して、例えば、包装材６の巻終位置Ｐ4 付近から塵や埃等が侵入してきたとしても、巻始位置Ｐ3 を経由して、包装材５の巻始位置Ｐ1または巻終位置Ｐ2 までは略３０°に対応した相当の距離があり、塵や埃等はここへ容易には到達せず、さらに内部に侵入するのも困難である。
【００３４】
作成した元巻包装体１は、図７に示すような架台２１に支持固定して納入先まで搬送される。
【００３５】
図７乃至図９に示すように、架台２１は、基台部２２の両側に側枠部（側部枠体）２３、２３が取り付けられてなり、各側枠部２３は２本の中空角形の支柱２４，２４間に横支持部材２５，２６が掛け渡されてなっている。
【００３６】
また、上側の横支持部材２５の中央部は、下向きに湾曲されてコア３の端部を載置して元巻包装体１を支持するための支持部２５ａが形成されている。また、横支持部材２５の支持部２５ａと平坦部２５ｂとの境界付近には、コア３の端部を上から押さえ付けて固定するための固定部材２７が、一端が蝶番（不図示）を介して平坦部２５ｂに回動自在に取り付けられている。
【００３７】
なお、固定部材２７の他端側は、ボルト等の固定具２８によって、平坦部２５ｂに固定可能とされている。
【００３８】
また、支柱２４は、固定部２４ａに可動部２４ｂが結合箇所において回動可能に取り付けられ、元巻包装体搬送時には可動部２４ｂの下端部が固定部２４ａの中空部に差し込まれた状態で直立姿勢で固定されると共に、元巻包装体非搬送時には内側に倒れた姿勢で固定される。
【００３９】
これによって、側枠部２３は、元巻包装体非搬送時には、所定の高さで内側に折り畳まれ、図９に示すように、側枠部２３と基台部２２との間にコア３を格納するための空間が確保される。
【００４０】
また、基台部２２上面の所定の箇所には、コア３を支持するためのコア受け部材２９が取り付けられている。
【００４１】
なお、空のコア３と接することとなる横支持部材２５，２６の内側の面と、コア受け部材２９の上面には、保護のためのゴム板が貼り付けられている。
【００４２】
作成された元巻包装体１を納入先へ搬送する際には、図８に示すように、架台２１の側枠部２３を直立姿勢で固定し、支持部２５ａにコア３を載置して元巻包装体１を支持し、固定部材２７によって固定した状態とする。
【００４３】
また、元巻包装体１が取り出された架台２１は、側枠部２３が折り畳まれた状態で、フィルム２が全て引き出されて空となったコア３が収納され、例えばゴムバンドで基台部２２に縛り付けられた上で搬送され、発送元へ返納される。
【００４４】
以上説明したように、本実施の形態１によれば、包装材５，６は、包装材５の巻始位置Ｐ1 と包装材６の巻始位置Ｐ3 との間の軸の周りの角度θが、略３０°となるように巻かれているので、包装材５，６の巻きの強さにかかわらず塵や埃、湿気等を侵入しにくくすることができ、製品の信頼性を高めることができる。しかも包装材５，６巻付け時の作業性は良好に保たれる。
【００４５】
また、締付固定部材７は、工程のどの段階でも簡単に取り除くことができるので、フィルムを用いる製造工程に発塵要因を持ち込まないようにすることができる。
【００４６】
また、コア３内部には、節状の栓３ａが設けられて塞がれているので、コア３内部の奥に塵や埃等が入り込むのを防止することができる。
【００４７】
また、架台２１を折り畳んで空のコア３を収納して一緒に返納することができるので、全体の物流コストを低減することができる。したがって、空のコア３専用の収納箱等が不要となる。また、空のコア３の保管管理が簡単になる。
【００４８】
実施の形態２．図１０は本発明の実施の形態２による元巻きの包装方法を説明するための工程図である。
【００４９】
この実施の形態２が上述した実施の形態１と異なるところは、図１０に示すように、元巻き４を包装する際に、内周側の包装材５と外周側の包装材６とを反対向きに巻くようにした点である。
【００５０】
まず、図１０（ａ）に示すように、予め用意された元巻き４の外周面の所定の位置（巻始位置Ｐ1 ）に包装材５の一端を固定し、同図（ｂ）に示すように、反時計周りに１周させてやや重なった位置（巻終位置Ｐ2 ）まで所定の強さで巻き付け、接着テープ８を貼り付けて固定する。
【００５１】
次に、同図（ｃ）に示すように、包装材５上の巻始位置Ｐ1 から軸の周りの時計周り方向に略３０°変位させた位置（巻始位置Ｐ3 ）に包装材６の一端を包装材５の場合とは逆向きに固定し、時計周りに１周させてやや重なった位置（巻終位置Ｐ4 ）まで所定の強さで巻き付け、接着テープ９を貼り付けて固定する。
【００５２】
この後、包装材５，６の両側のフィルム２からはみ出た箇所を締付固定部材７で括ってコア３の両端部の外周面に締め付けて固定して、元巻包装体１を完成させる。
【００５３】
本実施の形態２によれば、包装材５，６をずらして巻いているのに加え、互いに逆向きに巻いているので、包装材５，６の巻きの強さにかかわらず、一段と確実に塵や埃、湿気等が侵入しにくくすることができ、製品の信頼性を高めることができる。
【００５４】
実施の形態３．図１１は本発明の実施の形態３による架台の要部の構成を示す側面図である。
【００５５】
この実施の形態３が上述した実施の形態１と異なるところは、図１１に示すように、架台２１Ａにおいて、２本の元巻包装体１，１の支持固定を可能とし、かつ、両元巻包装体１，１が斜めの位置関係で近接して配置されるように構成した点である。
【００５６】
図１１に示すように、架台２１Ａの側枠部３１は、支柱３２と側板３３とを用いて構成され、側板３３の上部は２段の段状に形成され、かつそれぞれ上端には元巻包装体１のコア３を載置するための湾曲した支持部３４ａ，３４ｂが形成されている。
【００５７】
なお、図示せぬバランサによって、特に元巻包装体取出し時の荷重の分散配置状態が調節され、架台２１Ａの転倒が防止される。
【００５８】
本実施の形態３によれば、架台２１Ａをコンパクト化することができるので、収納スペースを節約でき、輸送効率を高めることができる。
【００５９】
実施の形態４．図１２は本発明の実施の形態４による架台の要部の構成を示す側面図である。
【００６０】
この実施の形態４が上述した実施の形態３と異なるところは、図１２に示すように、架台２１Ｂにおいて、側板３３の内側に水平方向及び鉛直方向にコア３を案内するための案内部４１を設けた点である。
【００６１】
本実施の形態４によれば、上述した実施の形態３と略同一の効果を得ることができる。
【００６２】
加えて、多様な元巻き包装体の取出方式に対応することができ、架台の融通性を高めることができる。
【００６３】
実施の形態５．図１３は本発明の実施の形態５による架台の要部の構成を一部破断して示す斜視図、図１４は同架台を構成する蓋部を元巻包装体に装着した状態を示す斜視図である。
【００６４】
この実施の形態５が上述した実施の形態１と異なるところは、図１３及び図１４に示すように、架台２１Ｃの横支持部材５１の支持部５１ａの側部に、支持部５１ａに載置される元巻包装体１のコア３の両端の開口を塞ぐための蓋部材５２が蝶番５３を介して取り付けられている点である。
【００６５】
これ以外の構成は、実施の形態１の場合と略同一であるので、その説明を省略する。
【００６６】
本実施の形態５によれば、防塵用のシートの巻付けや蓋の管理が不要であるので、巻き包装体の搬送時の作業工数や部品点数を低減することができる。
【００６７】
実施の形態６．図１５は本発明の実施の形態６による元巻包装体の構成を示す正面図である。
【００６８】
この実施の形態６が上述した実施の形態１と異なるところは、コア３内部の節状の栓３ａが廃され、元巻き４に包装材５，６が巻き付けられた後に、図１５に示すように、包装材固定用の結束部材付きの蓋部材６１を用意し、コア３の両端の開口に蓋部６１ａを押し込んで開口を塞ぐと共に、蓋部６１ａにアーム部６１ｃを介して取り付けられた結束部材６１ｂを用いて包装材５，６の両側部をコア３の両端部の外周面に縛り付けて固定する点である。
【００６９】
なお、結束部材６１ｂとしては、例えばボールプランジャを用いたものが使われる。
【００７０】
これ以外の構成は、実施の形態１の場合と略同一であるので、その説明を省略する。
【００７１】
本実施の形態６によれば、元巻き包装体の搬送時の作業工数を低減することができると共に、フィルムを用いた製造工程に発塵要因を持ち込まないようにすることができる。
【００７２】
実施の形態７．図１６は本発明の実施の形態７による元巻包装体の構成を示す縦断断面図である。
【００７３】
この実施の形態７が上述した実施の形態１と異なるところは、コア３内部の節状の栓３ａを廃し、元巻き４に包装材５，６が巻き付けられた後に、図１６に示すように、包装材５，６の両側部をコア３の両端の開口に押し込み、両開口に栓７１を差し込んで両開口を塞ぐと共に包装材の包装材５，６の両側部をコア３の内壁に押し付けて固定し、締付固定部材７も廃した点である。
【００７４】
これ以外の構成は、実施の形態１の場合と略同一であるので、その説明を省略する。
【００７５】
本実施の形態７によれば、１種類の部材によって、コア３の開口を塞ぐことと包装材５，６の固定とを同時に行うことができる。
【００７６】
したがって、部品点数及び作業工数を減らすことができる。
【００７７】
実施の形態８．図１７は本発明の実施の形態８によるフィルムロール包装梱包体としての元巻包装梱包体の構成を示す斜視図である。
【００７８】
この実施の形態８が上述した実施の形態１と異なるところは、架台２１を用いず、図１７に示すように、元巻包装体１を密閉形の梱包容器８１内に収納し元巻包装梱包体９１として搬送するようにした点である。
【００７９】
梱包容器８１は、金属製の部材からなり、２分割された半円筒部の接合面には、ゴム製のパッキン部材が貼り付けられており、高防湿性を有している。
【００８０】
これ以外の構成は、実施の形態１の場合と略同一であるので、その説明を省略する。
【００８１】
本実施の形態８によれば、防湿性及び防塵性が高く包装も簡易にできコストを抑えることができる。
【００８２】
したがって、例えば高度の防湿性を要するフィルムを包装する場合、アルミ蒸着シート等特別な防湿性のシートで覆う必要がないので、コストを低減することができる。また、ごみ処理上の繁雑さがない。
【００８３】
以上、本発明の実施の形態を詳述してきたが、具体的な構成はこの実施の形態に限られるものではない。
【００８４】
例えば、上述した実施の形態１では、２枚の包装材５，６を１周分ずつ巻き付ける場合について述べたが、３枚以上でも良いし、２周以上であっても良い。
【００８５】
また、フィルム２は、単体とは限らず、積層されていても良い。
【００８６】
また、締付固定部材として引掛けオーバンドを用いる場合について述べたが、シュリンクフィルムや、面ファスナー等を用いても良いし、包装材を紐付きのものとしても良い。
【００８７】
また、実施の形態５では、蓋部材５２を架台２１Ｃの横支持部材５１の支持部５１ａの側部に取り付ける場合について述べたが、この蓋部材５２を固定部材２７に取り付けて、固定部材２７を下ろしてコア３を固定するのと同時に、コア３の両端の開口を塞ぐように構成しても良い。また、蓋部材５２を支持部５１ａの下部に取り付けるようにしても良い。
【図面の簡単な説明】
【００８８】
【図１】本発明の実施の形態１によるフィルムロール包装体としての元巻包装体の構成を一部破断して示す斜視図である。
【図２】図１のＡ−Ａ線に沿う断面図である。
【図３】図１のＢ−Ｂ線に沿う断面図である。
【図４】図３の一部を拡大して示す拡大断面図であって、同図（ａ）は図３のＣ部を拡大して示す拡大断面図、同図（ｂ）は図３のＤ部を拡大して示す拡大断面図である。
【図５】フィルムロールとしての元巻きの包装方法を説明するための工程図である。
【図６】同元巻きのコアの端部に包装材を固定する方法を説明するための説明図である。
【図７】同元巻包装体を搬送する際に用いるフィルムロール包装体搬送用架台としての架台の構成を示す斜視図である。
【図８】同元巻包装体が同架台に支持固定された状態を示す斜視図である。
【図９】同架台が折り畳まれコアを収納した状態を示す正面図である。
【図１０】本発明の実施の形態２による元巻きの包装方法を説明するための工程図である。
【図１１】本発明の実施の形態３による架台の要部の構成を示す側面図である。
【図１２】本発明の実施の形態４による架台の要部の構成を示す側面図である。
【図１３】本発明の実施の形態５による架台の要部の構成を一部破断して示す斜視図である。
【図１４】同架台を構成する蓋部を元巻包装体に装着した状態を示す斜視図である。
【図１５】本発明の実施の形態６による元巻包装体の構成を示す正面図である。
【図１６】本発明の実施の形態７による元巻包装体の構成を示す縦断断面図である。
【図１７】本発明の実施の形態８によるフィルムロール包装梱包体としての元巻包装梱包体の構成を示す斜視図である。
【図１８】従来技術を説明するための説明図である。
【図１９】従来技術を説明するための説明図である。
【図２０】従来技術を説明するための説明図である。
【図２１】従来技術を説明するための説明図である。
【図２２】従来技術を説明するための説明図である。
【符号の説明】
【００８９】
１ 元巻包装体（フィルムロール包装体）
２ フィルム
３ コア
４ 元巻き（フィルムロール）
５，６ 包装材（包装部材）
７ 締付固定部材（固定部材）
２１，２１Ａ，２１Ｂ，２１Ｃ 架台（フィルムロール包装体搬送用架台）
２２ 基台部
２３ 側枠部（側部枠体）
２５ａ 支持部（支持固定部）
２７ 固定部材（支持固定部）
４１ 案内部
５２，６１ 蓋部材
６１ａ 蓋部
６１ｂ 結束部材
７１ 栓
８１ 梱包容器
９１ 元巻包装梱包体（フィルムロール包装梱包体）
【図１】
2007015864.tif 000003
【図２】
2007015864.tif 000004
【図３】
2007015864.tif 000005
【図４】
2007015864.tif 000006
【図５】
2007015864.tif 000007
【図６】
2007015864.tif 000008
【図７】
2007015864.tif 000009
【図８】
2007015864.tif 000010
【図９】
2007015864.tif 000011
【図１０】
2007015864.tif 000012
【図１１】
2007015864.tif 000013
【図１２】
2007015864.tif 000014
【図１３】
2007015864.tif 000015
【図１４】
2007015864.tif 000016
【図１５】
2007015864.tif 000017
【図１６】
2007015864.tif 000018
【図１７】
2007015864.tif 000019
【図１８】
2007015864.tif 000020
【図１９】
2007015864.tif 000021
【図２０】
2007015864.tif 000022
【図２１】
2007015864.tif 000023
【図２２】
2007015864.tif 000024